(57)【要約】【課題】印刷物の美観を損なったりすることなく、検査用コードを用いた検査を可能とする印刷物等を提供する。【解決手段】印刷物１は、凸部１１と、凸部１１の上に設けられ、時間経過により透明となるインク１５とによる検査用コード１０を有する。この検査用コード１０は、印刷物１を封緘する際の検査で用いられる。例えば、印刷物１に上記の検査用コード１０を形成した後、検査用コード１０を読取って印刷物１の検査を行い、その後、印刷物１を封緘する。検査用コード１０は時間経過により透明となるので、印刷物１の美観を損ねたりすることはない。【選択図】図１
2014049018.tif 000002
【特許請求の範囲】
【請求項１】
凸部と、
前記凸部の上に設けられた所定条件で透明となるインクと、
による検査用コードを有することを特徴とする印刷物。
【請求項２】
前記インクが、時間経過により透明となるものであることを特徴とする請求項１記載の印刷物。
【請求項３】
前記インクが、紫外線照射または赤外線照射により透明となるものであることを特徴とする請求項１記載の印刷物。
【請求項４】
前記凸部が、前記印刷物の表面形状の一部であることを特徴とする請求項１から請求項３のいずれかに記載の印刷物。
【請求項５】
印刷物が有する、凸部と、前記凸部の上に設けられた所定条件で透明となるインクと、による検査用コードを、前記インクが透明となる前に読み取ることを特徴とする検査用コード読取方法。
【発明の詳細な説明】
【技術分野】
【０００１】
本発明は、印刷物および検査用コード読取方法に関する。
【背景技術】
【０００２】
個人宛の印刷物を郵送する際は、印刷物が正しくその個人に送られる必要がある。そのため、印刷物の封緘時には種々の検査が行われる。このような検査では印刷物に予め検査用コードを印刷しておき、これを用いて検査を行うことが多い（例えば、特許文献１）。
【０００３】
例えば複数の印刷物を１つの封筒等に封緘するような作業では、個々の印刷物に、印刷物を送るべき個人の識別情報などを記録した検査用コードを印刷しておき、リーダーによりこれを読取って検査を行い、ある個人宛の印刷物と、別の個人宛の印刷物が一緒に封緘されることのないように管理している。
【先行技術文献】
【特許文献】
【０００４】
【特許文献１】特開２００７−１９６１２９号公報
【発明の概要】
【発明が解決しようとする課題】
【０００５】
しかしながら、郵送する印刷物の中には、商品カタログなど美観を重要視するものも多数ある。その場合、従来の検査用コードは印刷物の美観を損なう恐れがあるので、検査用コードを印刷できず、上記のような検査が行えない場合もある。また、申込用紙や請求書など、そうでない印刷物の場合でも、検査用コードが印刷されていると見栄えが良く無く好ましくない。
【０００６】
本発明は、前述した問題点に鑑みてなされたもので、その目的は、印刷物の美観を損なったりすることなく、検査用コードを用いた検査を可能とする印刷物等を提供することである。
【課題を解決するための手段】
【０００７】
前述した目的を達成するための第１の発明は、凸部と、前記凸部の上に設けられた所定条件で透明となるインクと、による検査用コードを有することを特徴とする印刷物である。
【０００８】
これにより、検査用コードを用いて検査を行った後、検査用コードを透明にできるので、印刷物の美観を損なったりすることなく、検査用コードを用いた検査が可能になる。また、検査用コードを形成する印刷物あるいは検査用コードの位置などについても特に限定されることがない。さらに、凸部の上にインクを設けて検査用コードとするので、検査前に何らかの原因でインクが透明となった後も、検査用コードの位置が分かり、再度インクを凸部の上に設けて読取可能にできるなど、検査時の利便性が向上する。
【０００９】
前記インクが、時間経過により透明となるものであることが望ましい。また、前記インクが、紫外線照射または赤外線照射により透明となるものであることも望ましい。
前者の場合、インクを透明とするために別の工程を要することがなくなる。後者の場合、工程中でインクを透明にする時点を、より正確に定めることができる。
【００１０】
前記凸部が、前記印刷物の表面形状の一部であることが望ましい。
エンボス加工等により凸部を印刷物の表面形状の一部として形成することで、検査用コードの形成が容易になる。
【００１１】
第２の発明は、印刷物が有する、凸部と、前記凸部の上に設けられた所定条件で透明となるインクと、による検査用コードを、前記インクが透明となる前に読み取ることを特徴とする検査用コード読取方法である。
【発明の効果】
【００１２】
本発明により、印刷物の美観を損なったりすることなく、検査用コードを用いた検査を可能とする印刷物等を提供することができる。
【図面の簡単な説明】
【００１３】
【図１】印刷物１を示す図
【図２】検査用コード１０の形成について示す図
【図３】印刷物１の検査および封緘について示す図
【図４】印刷物１ａを示す図
【発明を実施するための形態】
【００１４】
以下図面に基づいて、本発明の実施形態を詳細に説明する。
【００１５】
［第１の実施形態］
（印刷物１の構成）
図１は、本実施形態に係る印刷物１について示す図である。図１（ａ）は印刷物１を上から見た図であり、図１（ｂ）は検査用コード１０の部分における印刷物１の表面形状を示す図である。
【００１６】
図に示すように、この印刷物１は検査用コード１０を有する。検査用コード１０は、印刷物１に凸部１１を形成し、凸部１１の上にインク１５を塗布することで形成される。本実施形態では検査用コード１０を２次元コードとするが、これに限らず、バーコードや各種の文字、数字、記号等を検査用コード１０に用いることができる。
【００１７】
印刷物１は、例えば紙を基材とし、美観を重視するようなカタログ等であるが、これに限られることはない。
【００１８】
凸部１１は、印刷物１の表面にエンボス加工を行うことで、印刷物１の表面形状の一部として形成される。凸部１１は検査用コード１０の絵柄に従って形成され、凸部１１の位置が検査用コード１０の絵柄の位置に対応する。
【００１９】
ただし、これに限らず、例えば印刷物１の表面に樹脂等による透明の層を形成し、この層にエンボス加工を行って凸部１１を形成してもよい。また、凸部１１は立体プリント等の手法により形成することもできる。
【００２０】
インク１５は、凸部１１の上面に設けられ、検査用コード１０の絵柄を形成する。本実施形態では、インク１５として、当初は着色状態にあるが、時間経過により所定時間で消色して透明となり視覚的に消失するものを用いる。従って、インク１５による検査用コード１０は、透明となるまでに読み取られ、検査に用いられることになる。
【００２１】
このようなインク１５の例としては、例えば、時間経過とともに酸化により透明となる、東洋インキ株式会社の「アシスタントマーカーインキ」などを用いることができるが、これに限ることはない。
【００２２】
（印刷物１の検査用コード読取、および検査の手順）
次に、上記の印刷物１の検査用コード読取、および検査の手順について説明する。なお、本実施形態では、複数の印刷物１を１つの封筒に封緘する際に、これらの印刷物１について、郵送すべき個人が一致するかを検査する例を説明する。
【００２３】
この場合、検査用コード１０としては、例えば、個人を識別可能な識別情報を記録しておく。複数の印刷物１を封緘する際には、各印刷物１の検査用コード１０の識別情報を照合し、これらが一致するかを判定することにより検査を行うことできる。
【００２４】
本実施形態では、まず印刷物１に検査用コード１０を形成する。検査用コード１０を形成するには、図２（ａ）に示すように、まず印刷物１の表面に、凸部１１に対応する形状を有する型１３を押し当ててエンボス加工を施す。これにより、図２（ｂ）に示すように、印刷物１に凸部１１が形成される。
【００２５】
続いて、図２（ｃ）に示すように、凸部１１の上に、前述したインク１５を印刷して塗布する。これにより、各印刷物１に凸部１１とインク１５からなる検査用コード１０が形成される。
【００２６】
このようにして検査用コード１０を形成した各印刷物１は搬送装置等（不図示）で搬送され、封緘作業に移行する。封緘作業では、まず図３（ａ）に示すように、各印刷物１の検査用コード１０をリーダー７で読み取る。
【００２７】
リーダー７での読取結果はコンピュータ（不図示）に送信され、各検査用コード１０の識別情報が一致するかが判定される。一致すれば、図３（ｂ）に示すように、各印刷物１を封筒２０に封入して封緘する。なお、検査方法としてはこれに限らず、読取った検査用コード１０の情報がコンピュータに記憶された正の値に一致するかで検査を行うような場合もある。
【００２８】
その後、本実施形態では、インク１５が時間経過により透明となる。従って、図３（ｃ）に示すように、封筒２０が郵送された際には検査用コード１０が透明となり消えている状態である。上記したインク１５の塗布タイミングは、例えば、インク１５が透明となるまでの時間を考慮して、郵送時等の所望の時点で透明となるように定めておけばよい。
【００２９】
以上説明したように、本実施形態では、時間経過により透明となるインク１５を用いて検査用コード１０を形成するので、検査用コード１０を用いた検査を行った後に、検査用コード１０を透明にできる。従って、印刷物１の美観を損なったりすることなく検査用コード１０を用いた検査が可能になる。また、検査用コード１０の形成対象となる印刷物、あるいは検査用コード１０の形成位置なども特に限定されることがない。
【００３０】
さらに、凸部１１の上にインク１５を設けて検査用コード１０とするので、検査前に何らかの原因でインク１５が透明となった後も、検査用コード１０の位置が分かる。従って、同じ位置で再度インク１５を凸部１１の上に設けて読取可能にできるなど、検査時の利便性が向上する。
【００３１】
また、インク１５は時間経過により透明となるので、インク１５を透明とするために別の工程を要することがない。さらに、エンボス加工により凸部１１を印刷物１の表面形状の一部として形成するので、検査用コード１０が容易に形成できる。
【００３２】
しかしながら、本発明がこれに限ることはない。例えば、インク１５は、所定条件で透明となるものであればよく、上記したように時間経過により透明となるものに限らない。以下、用いるインクが異なる例を第２の実施形態として説明する。第２の実施形態は、第１の実施形態と同様の点については説明を省略し、異なる点について主に説明する。
【００３３】
［第２の実施形態］
図４は、第２の実施形態の印刷物１ａにおける検査用コード１０ａの部分の表面形状を示す図である。この印刷物１ａは、検査用コード１０ａのインク１５ａとして、紫外線照射により透明となるものを用いる点で第１の実施形態の印刷物１と異なる。このようなインク１５ａとしては公知のものを種々用いることができ、例えば特開平９−２８６９７９号公報に記載のインクが挙げられる。
【００３４】
印刷物１ａの検査用コード読取および検査の手順については、第１の実施形態と同様にして各印刷物１ａの検査用コード１０ａを形成した後、これを読取って検査を行う。そして、印刷物１ａの封緘前あるいは封緘後に、検査用コード１０ａの部分へと紫外線を照射する。これにより、インク１５ａを透明にすることができる。
【００３５】
従って、第２の実施形態でも第１の実施形態と同様の効果が得られる。また、インク１５ａを人為的に透明とするので、工程中でインク１５ａを透明にする時点を、より正確に定めることができる利点もある。なお、インク１５ａとしては、赤外線照射により透明となるものも上記と同様に用いることができる。このようなインクについても公知のものを種々用いることができるが、一例として特開平５−２８７２２６号公報に記載のインクが挙げられる。
【００３６】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００３７】
１、１ａ：印刷物
１０、１０ａ：検査用コード
１１：凸部
１５、１５ａ：インク
【図１】
2014049018.tif 000003
【図２】
2014049018.tif 000004
【図３】
2014049018.tif 000005
【図４】
2014049018.tif 000006